(57)【要約】【課題】無線電気通信分野に関連し、特に、無線式のモバイル機器（ＭＥ：Ｍｏｂｉｌｅ  Ｅｑｕｉｐｍｅｎｔ）に内蔵されたＵＩＣＣ（Ｕｎｉｖｅｒｓａｌ  Ｉｎｔｅｇｒａｔｅｄ  Ｃｉｒｃｕｉｔ  Ｃａｒｄ（汎用ＩＣカード））に、無線通信ネットワークにおけるオペレータのＤＮＳ  ＩＰアドレスを付与する方法を提供する。【解決手段】  無線通信ネットワークにおけるオペレータのＤＮＳ  ＩＰアドレスを、無線式のモバイル機器（ＭＥ）内に内蔵されたＵＩＣＣに付与する方法であって、前記ＵＩＣＣが監視できる特定のモバイル機器（ＭＥ）イベントを定義するステップと、前記ＵＩＣＣに送信される前記ＤＮＳ  ＩＰアドレスを含むことになる新しいデータ構造を定義するステップと、定義済みのＳｅｔｕｐ  Ｅｖｅｎｔ  Ｌｉｓｔプロアクティブ・コマンドを介して前記ＵＩＣＣを前記イベントに登録するステップと、ＰＤＰコンテキストが前記ＭＥと前記ネットワークとの間で起動するときに、前記ＭＥによって前記特定のイベントを発生させるステップと、ＤＮＳ  ＩＰアドレスを前記新しいデータ構造に含ませるステップと、前記発生されたイベントが起こると、新しいＥｎｖｅｌｏｐコマンドを介して前記ＭＥから前記ＵＩＣＣまで、（ＤＮＳ  ＩＰアドレスを含む）前記新しいデータ構造を送信するステップとを含む方法を提供する。【選択図】図１
2010522447.tif 000002
【特許請求の範囲】
【請求項１】
無線通信ネットワークにおけるオペレータのＤＮＳ  ＩＰアドレスを、無線式のモバイル機器内に内蔵されたＵＩＣＣに付与する方法であって、
前記ＵＩＣＣが監視できる特定のモバイル機器イベントを定義するステップと、
前記ＵＩＣＣに送信される前記ＤＮＳ  ＩＰアドレスを含むことになる新しいデータ構造を定義するステップと、
定義済みのＳｅｔｕｐ  Ｅｖｅｎｔ  Ｌｉｓｔプロアクティブ・コマンドを介して前記イベントに前記ＵＩＣＣを登録するステップと、
ＰＤＰコンテキストが前記モバイル機器と前記ネットワークとの間で起動するときに、前記モバイル機器によって前記特定のイベントを発生させるステップと、
前記ＤＮＳ  ＩＰアドレスを前記新しいデータ構造に含ませるステップと、
前記発生されたイベントが起こると、新しいＥｎｖｅｌｏｐコマンドを介して、前記モバイル機器から前記ＵＩＣＣまで、前記ＤＮＳ  ＩＰアドレスを含む前記新しいデータ構造を送信するステップとを有することを特徴とする方法。
【請求項２】
前記ＤＮＳ  ＩＰアドレスが、ＩＳＯ７８１６ベースのインターフェースを介して前記ＵＩＣＣに送信されることを特徴とする請求項１記載の方法。
【請求項３】
前記ＤＮＳ  ＩＰアドレスが、カプセル化されてＵＳＢデータ・フレームとなり、ＵＳＢ物理インターフェースを介して前記ＵＩＣＣに送信されることを特徴とする請求項１記載の方法。
【請求項４】
ＥＴＳＩ  ＴＳ  １０２  ２２３に記載の「Ｅｖｅｎｔ  Ｌｉｓｔ」ＣＯＭＰＲＥＨＥＮＳＩＯＮ―ＴＬＶデータ・オブジェクトにイベント「ＰＤＰコンテキスト起動」を付加するステップと、
新しいＥｎｖｅｌｏｐｅコマンド（イベント・ダウンロード−ＰＤＰコンテキスト起動）を付加するステップと、
前記ＤＮＳ  ＩＰアドレスを含む新しい「ＤＮＳ  ＩＰ  ＡＤＲＥＳＳ」ＣＯＭＰＲＥＨＥＮＳＩＯＮ−ＴＬＶデータ・オブジェクトを付加するステップとをさらに含むことを特徴とする請求項１記載の方法。
【請求項５】
前記コマンド・ヘッダがＥＴＳＩ  ＴＳ  １０２  ２２１で特定されることを特徴とする請求項４記載の方法。
【請求項６】
前記イベント・リストが、各イベント・タイプが前記リスト内で２回以上現れない変動するタイプのイベントのリストを含むことを特徴とする請求項１記載の方法。
【請求項７】
前記ＤＮＳ  ＩＰアドレスが、ＩＰｖ４アドレスタイプまたはＩＰｖ６アドレスタイプを有することができることを特徴とする請求項４記載の方法。
【請求項８】
アドレスのパラメータのタイプがＩＰｖ４を示す場合、オクテット４からオクテット７にあるアドレス情報が前記ＩＰｖ４を含み、オクテット４のビット８が前記ＩＰアドレスの最上位ビットを示し、オクテット７のビット１が最下位ビットを示すことを特徴とする請求項７記載の方法。
【請求項９】
アドレスのパラメータのタイプがＩＰｖ６を示す場合、オクテット４からオクテット１９にあるアドレス情報が前記ＩＰｖ６を含み、オクテット４のビット８が前記ＩＰアドレスの最上位ビットを示し、オクテット１９のビット１が最下位ビットを示すことを特徴とする請求項７記載の方法。
【発明の詳細な説明】
【技術分野】
【０００１】
本発明は、無線電気通信分野に関連し、特に、無線式のモバイル機器（ＭＥ：Ｍｏｂｉｌｅ  Ｅｑｕｉｐｍｅｎｔ）に内蔵されたＵＩＣＣ（Ｕｎｉｖｅｒｓａｌ  Ｉｎｔｅｇｒａｔｅｄ  Ｃｉｒｃｕｉｔ  Ｃａｒｄ（汎用ＩＣカード））に、無線通信ネットワークにおけるオペレータのＤＮＳ  ＩＰアドレスを付与する方法に関連するものである。
【背景技術】
【０００２】
ＥＴＳＩ  ＳＣＰ  Ｒｅ１−７において、ＵＩＣＣが、同ＵＩＣＣにインターネット接続性ソリューションを付与する自身のＴＣＰ／ＩＰスタックを備えるようになることが期待されている。一般に、ＴＣＰ／ＩＰスタック上に位置するどんなアプリケーションも、宛先サーバのＩＰアドレスを取得するために名前解決サービス（ｎａｍｅ  ｒｅｓｏｌｕｔｉｏｎ  ｓｅｒｖｉｃｅ）を必要とする。
【０００３】
これまで、ＵＩＣＣ内にあるアプリケーション向けのｐｒｅ−ｒｅ１  ７インターネット接続性ソリューションは、モバイル機器（ＭＥ）／ＵＩＣＣインターフェース上でＢＩＰ（Ｂｅａｒｅｒ  Ｉｎｔｅｒｆａｃｅ  Ｐｒｏｔｏｃｏｌ）を使用することを含む。このプロトコルは、ＡＰＤＵコマンドの形にされるデータのカプセル化に基づいている。
【０００４】
例えば、ＵＩＣＣ内にあるアプリケーションからのｈｔｔｐリクエスト（ネットワークに送信される）を、いくつかのデータ・ブロックに分けることができ、各ブロックは、ＭＥ／ＵＩＣＣインターフェース上で１つのＡＰＤＵコマンド（Ｓｅｎｄ  Ｄａｔａ）によって搬送される。ＭＥは、すべてのＡＰＤＵコマンド（Ｓｅｎｄ  Ｄａｔａ）を受信した後、ＵＩＣＣからの元のｈｔｔｐリクエストを復元し、次いでこのリクエストをネットワークに送信する。
【０００５】
このＢＩＰプロトコルは実際、ＵＩＣＣリクエストがネットワークに送信される前のかなりの数のオペレーションに対応することがある。したがってその性能は、ＭＥとＵＩＣＣとの間のＴＣＰ／ＩＰインターフェースと比べると非常に低い。
【０００６】
ＤＮＳ  ＩＰアドレスをＵＩＣＣが知らされていない場合、この名前解決サービスを提供するＭＥに依存することになる。このことは、ＵＩＣＣにＴＣＰ／ＩＰスタックを備えることによる利益を低下させる。
【発明の概要】
【発明が解決しようとする課題】
【０００７】
本発明の一目的は、実用的な観点から、ＵＩＣＣを、遠隔エンティティに対して、ＭＥに依存しないクライアント／サーバ・エンティティとして動作させることである。
【０００８】
本発明の前述した目的の一例は、無線通信ネットワーク内で前記ＵＩＣＣを他の任意のＴＣＰ／ＩＰネットワーク要素のように動作させるために、無線式のモバイル機器（ＭＥ）に内蔵したＵＩＣＣに、ネットワーク・オペレータのＤＮＳ  ＩＰアドレスなどのネットワーク情報を付与することを目的とした方法によって達成される。
【課題を解決するための手段】
【０００９】
本発明の態様は、
ＵＩＣＣが監視できる特定のモバイル機器（ＭＥ）イベントを定義するステップと、
ＵＩＣＣに送信されるＤＮＳ  ＩＰアドレスを含むことになる新しいデータ構造を定義するステップと、
定義済みのＳｅｔｕｐ  Ｅｖｅｎｔ  Ｌｉｓｔプロアクティブ・コマンドを介して、前記イベントにＵＩＣＣを登録するステップと、
ＰＤＰコンテキストがＭＥとネットワークとの間で起動するときに、前記ＭＥによって前記特定のイベントを発生させるステップと、
ＤＮＳ  ＩＰアドレスを前記新しいデータ構造に含ませるステップと、
前記発生されたイベントが起こると、新しいＥｎｖｅｌｏｐコマンドを介してＭＥからＵＩＣＣまで、ＤＮＳ  ＩＰアドレスを含む前記新しいデータ構造を送信するステップと
を含むことを特徴とする方法である。
【発明の効果】
【００１０】
本発明による方法により、ＵＩＣＣはネットワーク・エンティティと見なされことになり、それ自体でＤＮＳを含む多数の要素を保持することができる。
【図面の簡単な説明】
【００１１】
【図１】本発明による例示的な実施形態において、パワーアップ・シーケンス中にどのようにＤＮＳ  ＩＰアドレスをＵＩＣＣに送信することができるかを示す構成図である。
【発明を実施するための形態】
【００１２】
前述の概要ならびに以下の詳細な説明は、パワーアップ・シーケンス中にＤＮＳ  ＩＰアドレスをＵＩＣＣに送信できる方法を示す構成図を示す添付の図面を参照して読むと、より深く理解されよう。
【００１３】
ＥＴＳＩ  ｒｅ１−７において、ＵＩＣＣとモバイル機器（ＭＥ）との間に２つの物理インターフェース、すなわち、ＩＳＯ７８１６ベースのインターフェース、および高速インターフェースとも呼ばれるＵＳＢがあるということに留意されたい。
【００１４】
本発明による方法は、両方のインターフェースにソリューションを提供し、（Ｕ）ＳＩＭツールキットのプロアクティブ・コマンド・メカニズムに基づくことになる。
【００１５】
ＩＳＯインターフェースについては、このソリューションは、ＵＩＣＣが定義済みのＳｅｔｕｐ  Ｅｖｅｎｔ  Ｌｉｓｔプロアクティブ・コマンドを介して監視することができる新しいＭＥイベント（例えばＰＤＰコンテキスト起動）を生成することを含む。ＰＤＰコンテキストが起動するときに、このイベントが発生し、ＥｎｖｅｌｏｐコマンドがＵＩＣＣにこのイベントの発生を通知する。
【００１６】
Ｅｎｖｅｌｏｐコマンドに含まれるデータは、ＤＮＳ  ＩＰアドレスを含む。
【００１７】
以下の表は、本発明のＥＴＳＩ  ＴＳ  １０２．２２３実施態様におけるデータ・オブジェクト「Ｅｖｅｎｔ  Ｌｉｓｔ」の説明である。
【００１８】
【表１】
2010522447.tif 000003
【００１９】
データ・オブジェクト「Ｅｖｅｎｔ  Ｌｉｓｔ」は、可変長のイベントのリストを含む。リスト内の各バイトは一つのイベントを定義している。各イベント・タイプは、当該リスト内で２回以上は現れないものとする。
【００２０】
本発明の実施形態では、新しいイベント「ＰＤＰコンテキスト起動（例えば０ｘ１２）」は、データ・オブジェクトに付加され、イベント・リスト内の各バイトは、以下の値の１つによってコード化されるものとする。
’００’＝ＭＴコール
’０１’＝コール接続
’０２’＝コール切断
’０３’＝位置状況
’０４’＝ユーザ・アクティビティ
’０５’＝利用可能アイドル・スクリーン
’０６’＝カードリーダ状況
’０７’＝言語選択
’０８’＝ブラウザ・ターミネーション
’０９’＝利用可能データ
’０Ａ’＝チャネル状況
’０Ｂ’＝アクセス技術変更
’０Ｃ’＝表示パラメータ変更
’０Ｄ’＝ローカル接続
’０Ｅ’＝ネットワーク検索モード変更
’０Ｆ’＝ブラウジング状況
’１０’＝フレーム情報変更
’１１’＝３ＧＰＰリザーブ（Ｉ−ＷＬＡＮアクセス状況）
’１２’＝ＰＤＰコンテキスト起動
【００２１】
以下は、新しいＥｎｖｅｌｏｐ（イベント・ダウンロード−ＰＤＰコンテキスト起動）コマンドのパラメータ／データ構造を提供する表である。
【００２２】
【表２】
2010522447.tif 000004
【００２３】
イベント・リスト・オブジェクトは１つのイベント（１バイト長の値部）だけを含み、ＭＥはイベントを「ＰＤＰコンテキスト起動」に設定するものとする。
【００２４】
デバイス識別：
発生元：ＭＥ；
宛先：ＵＩＣＣ
【００２５】
以下はＤＮＳ  ＩＰアドレス構造を提供する表である。
【００２６】
【表３】
2010522447.tif 000005
【００２７】
アドレスのパラメータのタイプは、以下のようにコード化される。
’２１’＝ＩＰｖ４アドレス；
’５７’＝ＩＰｖ６アドレス；
’その他’＝保存
アドレスのコード化：
【００２８】
アドレスのパラメータのタイプがＩＰｖ４を示す場合、オクテット４〜オクテット７にあるアドレス情報がＩＰｖ４アドレスを含む。オクテット４のビット８はＩＰアドレスの最上位ビットを示し、オクテット７のビット１は最下位ビットを示す。
【００２９】
アドレスのパラメータのタイプがＩＰｖ６を示す場合、オクテット４〜オクテット１９にあるアドレス情報がＩＰｖ６アドレスを含む。オクテット４のビット８はＩＰアドレスの最上位ビットを示し、オクテット１９のビット１は最下位ビットを示す。
【００３０】
ＵＳＢインターフェースについては、このソリューションは、ＩＳＯ７８１６−１２規格で説明されるメカニズムに従って、ＡＰＤＵコマンドをカプセル化してＵＳＢデータ・フレームにすることを含む。唯一の違いは、ＡＰＤＵコマンド（Ｓｅｔｕｐ  Ｅｖｅｎｔ  Ｌｉｓｔ、Ｅｎｖｅｌｏｐｅ）がカプセル化されてＵＳＢデータ・フレームにされ、ＩＳＯインターフェースではなくＵＳＢ物理インターフェースを介して送信される点である。
【００３１】
図１で示される図は、パワーアップ・シーケンス中にどのようにＤＮＳ  ＩＰアドレスをＵＩＣＣに送信できるかを示している。
【００３２】
ステップ２で、ＭＥはパワーアップを開始する。ＵＩＣＣは、ＭＥにプロアクティブ・コマンド「Ｓｅｔｕｐ  Ｅｖｅｎｔ  Ｌｉｓｔ（ＰＤＰコンテキスト起動）」を送信し、ＵＩＣＣがＰＤＰコンテキスト起動イベントに登録することを可能にする（矢印４）。
【００３３】
前記リクエストを受信すると、ＭＥはそのコンテキスト内にこの情報を保存する。ＭＥがパケット交換サービスをサポートするセルに接続される（パワーアップ・シーケンスの一部、矢印６）場合、ＭＥはＰＤＰコンテキスト起動をリクエストする（矢印８）。
【００３４】
前記リクエストを受信すると、ネットワークは、ＰＤＰコンテキストを起動させ、ＤＮＳ  ＩＰアドレスが含まれたデータ構造をＭＥに返信する（矢印１０）。
【００３５】
ネットワークからＰＤＰコンテキスト起動応答（ＰＤＰコンテキスト起動）を受信することによって、イベントがＭＥ内で発生する。
【００３６】
ＭＥによって発生するイベントが起こると、新しいＥｎｖｅｌｏｐｅコマンド（イベント・ダウンロード、ＰＤＰコンテキスト起動）を介して、ＭＥは、ＤＮＳ  ＩＰアドレスをＵＩＣＣに送信する。
【００３７】
ＰＤＰコンテキストの起動シーケンスは任意の時点で実行可能であり、必ず本明細書の例示の構成図で示すパワーアップ段階中でのみ実行可能であるというわけではないことに留意されたい。
【００３８】
本発明の第１実施形態では、ＩＳＯ７８１６ベースのインターフェースを介してＤＮＳ  ＩＰアドレスがＵＩＣＣに送信される。
【００３９】
本発明の第２実施形態では、ＤＮＳ  ＩＰアドレスは、カプセル化されてＵＳＢデータ・フレームとなり、ＵＳＢ物理インターフェースを介してＵＩＣＣに送信される。
【００４０】
好ましい一実施形態において、本発明による方法は、
ＥＴＳＩ  ＴＳ  １０２  ２２３に記載の「Ｅｖｅｎｔ  Ｌｉｓｔ」ＣＯＭＰＲＥＨＥＮＳＩＯＮ―ＴＬＶデータ・オブジェクトにイベント「ＰＤＰコンテキスト起動」を付加するステップと、
新しいＥｎｖｅｌｏｐｅコマンド（イベント・ダウンロード−ＰＤＰコンテキスト起動）を付加するステップと、
ＤＮＳ  ＩＰアドレスを含む新しい「ＤＮＳ  ＩＰ  ＡＤＲＥＳＳ」ＣＯＭＰＲＥＨＥＮＳＩＯＮ−ＴＬＶデータ・オブジェクトを付加するステップと
をさらに含むことを特徴とする。
【００４１】
好ましくは、コマンド・ヘッダがＥＴＳＩ  ＴＳ  １０２  ２２１で特定され、前記イベント・リストは、各イベント・タイプがそのリスト内で２回以上現れない変動するタイプのリスト・イベントを含む。
【００４２】
ＤＮＳ  ＩＰアドレスは、ＩＰｖ４アドレスタイプまたはＩＰｖ６アドレスタイプを有してもよい。
【００４３】
本発明の別の態様によれば、ＤＮＳアドレスのタイプがＩＰｖ４を示す場合、オクテット４〜オクテット７にあるアドレス情報がＩＰｖ４アドレスを含み、オクテット４のビット８はＩＰアドレスの最上位ビットを示し、オクテット７のビット１は最下位ビットを示す。
【００４４】
アドレスの型がＩＰｖ６アドレスを示す場合、オクテット４〜オクテット１９にあるアドレス情報がＩＰｖ６アドレスを含み、オクテット４のビット８がＩＰアドレスの最上位ビットを示し、オクテット１９のビット１が最下位ビットを示す。
【図１】
2010522447.tif 000006
【国際調査報告】
2010522447.tif 000007